(57)【特許請求の範囲】
【請求項１】
半球状の玉皮片を球状に接合する玉皮を有する打ち上げ花火において、生分解性プラスチックに有機性のゴミから得られる炭化物を混入した原料により玉皮片を構成したことを特徴とするリサイクル運動啓蒙用花火。
【請求項２】
生分解性プラスチックに有機性のゴミから得られた炭化物及び有機肥料を混入した原料により玉皮片を構成した請求項１記載のリサイクル運動啓蒙用花火。
【発明の詳細な説明】
【０００１】
【発明の属する技術分野】
この発明はリサイクル運動の啓蒙のために使用される打ち上げ花火に関する。
【０００２】
【従来の技術】
廃棄物の再利用（リサイクル）は今日的な課題であり、国を挙げて取り組まなければならない事柄である。それには、単に行政側の努力だけでなく、国民一人一人が自分の問題としてリサイクルに取り組まなければならないことはいうまでもない。
【０００３】
そのため、国や地方公共団体ではリサイクル運動を啓蒙するために各種のメディアを通じて広報を行っていた。又、国民のレベルでは例えばコンポスト容器による有機性のゴミの堆肥化等を自発的に行う動きもある。
【０００４】
【発明が解決しようとする課題】
しかしながら、メディアを通じての一律の呼び掛けだけでは、一般の国民の間にリサイクルの重要性を身近な問題として認識させるためには不十分であった。又、コンポスト容器による有機性のゴミの堆肥化はリサイクルを身近な問題として捉える良い機会であるが、そもそも堆肥を利用する場を持たない都市部の国民には無縁のものであった。
【０００５】
以上のように、国民の全てにリサイクルが身近な問題として浸透していない現況においては、ゴミの分別の要請も行政側からのただの面倒くさい要求としか捉えられず、効果的なリサイクルが実現されないおそれがあった。
【０００６】
本願発明者はこの現況を憂い、国民の一人一人にリサイクルの重要性を身近な問題として認識してもらうための発明をかねがね模索していた。
【０００７】
ところで、本願発明者は、過去、生分解性プラスチックにより玉皮片を構成した打ち上げ花火の玉皮を創作し公知にしている（平成３年２月４日出願、実開平４−１００６９８。尚、この出願は許可すべきものとして登録査定となったが、環境保護の観点から実施を広く一般に公開するために、敢えて登録料を納付せず登録を放棄した。）。
【０００８】
通常、打ち上げ花火は容器状の玉皮内に割り火薬及び星（火薬）を詰める共に導火線を設け、これに更に上張りを施すことにより構成される。そして、本願発明者による上記発明以前においては、玉皮としては▲１▼新聞、クラフト紙、和紙等を球状に張り合わせたもの、▲２▼糸を巻いたもの（実公昭５５−４６８８０号）、▲３▼円状の厚紙に放射状に切れ目を入れたものを半球状にプレスしたもの及びそれを改良したもの（実開昭５６−１８５９９号）、▲４▼ガラスで成形したもの（実公昭５８−１２０７５号）等が公知であった。
【０００９】
しかしながら、上記従来技術中▲１▼については張り合わせ技術に長けた技能者でなくては製造できず大量生産に馴染まず、又▲２▼については引用文献に示すような特殊な機械を必要とし生産性に難があった。一方、▲３▼については大量生産には馴染むものの玉皮に放射状の切れ目が入るために強度の分布が不均衡となり、良好な破裂音が得られなかったり、特に収容された割り火薬の爆発力とこれを収容する外皮の強度とのバランスにより星を真球状に拡散させる「割物」と呼ばれる花火については花火が安定して綺麗に開かない問題があった。そのため、この形式の玉皮については複数個を切れ目をずらして重ね合わせたり、玉皮の外に張られる上張りを強化する等の工夫が別途必要となり作業工程が複雑化し、又どのように工夫しても大型の花火には強度的に適用が難しかった。更に、▲４▼については大量生産はできるものの強度に難がある他、破裂して地面に落ちた玉皮の破片は紙と異なり腐敗・消滅しないので、環境保護の問題から特殊な場所でしか使用できない問題があった。
【００１０】
本願発明者による前記発明は上記の問題を解消する画期的なものであった。しかしながら、その反面、当時認識していなかった次の問題を内包していた。
【００１１】
その一は、コストの問題である。いうまでもなく、玉皮は花火と共に１回の使用により消耗される部品である。生分解性プラスチックによる玉皮は従来の紙による玉皮に比し材料費が高く、１回のイベントだけでも数千発を打ち上げる花火にとってそのコストは無視できなかった。
【００１２】
その二は、湿気の問題である。前記発明の当時においては、本願発明者は生分解性プラスチックによる玉皮は「プラスチックにより構成されるので気密性が良好であり、湿気の侵入のおそれがないので、火薬を詰めて打ち上げ花火に加工した状態でも経年変化がなく長期保存が可能となり、従来の紙製の玉皮では不可能であった年間を通しての打ち上げ花火の作り置きが可能となり、花火シーズンに合わせて生産を集中させる必要がなくなる。」と認識していた。これ自体は事実である。しかしながら、それは理想的な環境、即ち乾燥した雰囲気下において火薬を詰めた場合に適用される効果であり、比較的湿度の高い雰囲気下において火薬を詰めた場合には、プラスチックによる玉皮は紙による玉皮のように調湿機能を有しないので、火薬が水分を吸湿してしまったり、温度差などにより密閉した玉皮内部において空気中の水分が凝集して汗をかく現象を生じやすいことに気づいた。
【００１３】
【課題を解決するための手段】
本願発明者は以上の問題点を解消するために、生分解性プラスチックに混入することが可能な安価な填補材料と、玉皮自体に調湿機能を持たせることを研究していた。この場合、生分解性プラスチックに混入することが可能な安価な填補材料自体は容易に選定し得るが、生分解性プラスチックを玉皮に使用する目的が環境保護にあることに鑑みた場合には填補材料自体が土中に残存しては意味が無く、この観点からの填補材料の選定は困難を極めた。又、玉皮自体に調湿機能を持たせることも同時に解決しなくてはならなかった。
【００１４】
以上の研究の結果、本願発明者は半球状の玉皮片を球状に接合する玉皮を有する打ち上げ花火において、生分解性プラスチックに有機性のゴミから得られる炭化物を混入した原料により玉皮片を構成することを特徴とする本願発明を想到した。
【００１５】
ここに有機性のゴミから得られる炭化物とは、例えば各種の食品や植物の残渣や絞り滓、或いは食品や植物自体などの有機物を高温の熱雰囲気下で炭化した公知の物質を指す。この物質の原材料となる有機物は廃棄物として得られるものであり、従来その処理に苦慮していた。つまり、本願発明によれば廃棄物のリサイクル効果が得られることとなる。又、この炭化物は土壌改良剤として使用されていることからもわかるように土中に還元される性質を有するものである、従って、それを生分解性プラスチックに混入する填補材料として用いても、土中に残存して環境を損なうおそれは一切無い。
【００１６】
一方、本願発明者は上記の花火の玉皮の改良を通じて、かねがね模索していた国民の一人一人にリサイクルの重要性を身近な問題として認識してもらうための発明が実は完成したことを発見するに至った。即ち、花火大会はそれ自体が一つのイベントとして不特定の夥しい数の観客を集めて催される。そして、その会場は公園などの公開緑地や、農地等が拡がる郊外であることが多い。又、地域のイベントとして地方公共団体や非営利団体が主催することが多い。そこで、花火大会において打ち上げられる花火の玉皮が実は廃棄物をリサイクルして製造され、しかも、落下した後は土に還元されると共に土壌の改良にも役にたつことを広報すれば、リサイクルの重要性を身近な問題として国民に認識してもらうための何よりの機会となる。
【００１７】
ところで、生分解性プラスチックに有機性のゴミから得られる炭化物を混入した原料により玉皮片を構成することは、コストの低減やリサイクルに寄与するだけでなく、玉皮の性能の向上にも寄与する。即ち、有機性のゴミから得られる炭化物は多孔質体であることから高い吸湿力を有し、それを生分解性プラスチックに混入することにより玉皮自体が玉皮内部の湿気を吸湿して、内部を乾燥状態に保つ作用が実現されることとなる。
【００１８】
【発明の実施の形態】
この発明に使用される生分解性プラスチックとは土中に一般に存する微生物の働きにより生分解する性質を有する公知のプラスチックであり、ポリビニールアルコール、脂肪族系ポリエステル樹脂、多糖類を有するもの等が知られている。
【００１９】
又、有機性のゴミから得られる炭化物とは前記した通りの物質であるが、有機性のゴミの実例を挙げれば次の通りとなる。尚、この発明における有機性のゴミはこれらに限定されないことはいうまでもない。
【００２０】
皮革残渣、おから、焼酎滓、ビール滓、酒滓、米糠、籾殻、茶殻、コーヒー豆絞り滓、ジュース類絞り滓、醤油絞り滓、味噌絞り滓、砂糖きび絞り滓、魚介類残渣、食物残渣、繊維残渣、野菜屑、野菜・果物類の芯、賞味期限切れの食品
又、有機性のゴミの炭化方法に関する公知発明の実例を挙げれば次の通りである。
【００２１】
特開平６−２２８５７６、特開平８−２９１０、特開平１０−９９８５１、特開平８−１２７７６、特開平８−９４０５６
以上の生分解性プラスチック原料には有機性のゴミから得られる炭化物を混入する。炭化物は粉状にして混入するのが望ましいが、それに限定されないことはいうまでない。炭化物の生分解性プラスチック原料に対する重量比は任意であり、炭化物の割合を多くするほど玉皮の材料コストは軽減される。但し、前記したように打ち上げ花火において良好な破裂音を得たり、収容された割り火薬の爆発力とこれを収容する外皮の強度とのバランスにより星を真球状に拡散させる「割物」と呼ばれる花火については、玉皮に関し相応の強度が要求されるので、炭化物の割合を多くし過ぎて玉皮の強度を損なうことは避けなければならない。ちなみに、本願発明者の実験によれば生分解性プラスチック原料に対し炭化物の重量比を２０％乃至３０％としても良好な性能の花火が得られている。
【００２２】
尚、炭化物に加えて有機肥料を生分解性プラスチック原料に混入することもここでは開示することとする。こうした場合は、落下した玉皮は単に土に還元するだけでなく肥料分としても作用することとなり、多くの花火大会が公園などの公開緑地や、農地等が拡がる郊外で開催されることを勘案した場合有用である。
【００２３】
混入する有機肥料としては動物の糞から得られるもの（グアノ）が一般的であるが、有機性のゴミから得られるものでもよく、その場合には前記したリサイクル運動啓蒙の作用がより鮮明となる。
【００２４】
図１はこの考案の玉皮の分解状態を示すものであり、図中符号１は玉皮を構成する玉皮片である。この玉皮片１は原材料の状態に応じ、例えばペレットであれば溶融して射出成型により得られ、例えばシート状であればプレス成型により得られる。この玉皮片１は２つを球状に接合することにより、玉皮２を構成する。この実施例では玉皮２同士の接合手段として超音波加工による溶着を採用している。
【００２５】
第２図はこの考案の玉皮を割物と呼ばれる花火に使用した状態を示す図であり、ここにおいては玉皮片１、１に割り火薬３及び星（火薬）４を詰め、同時に導火線５を設け、球状に接合して玉皮２とし、更に必要に応じ外側に紙からなる上張り層を６を施す。
【００２６】
【発明の効果】
以上のように構成されるこの発明は次の特有の効果を奏する。
▲１▼材料費が高い生分解性プラスチックに安価な填補材料として有機性のゴミから得られる炭化物を混入するので、打ち上げ花火の製造コストを軽減することができる。
▲２▼上記の場合、炭化物は花火の落下後土に還元されるので、環境を損なわないために花火の玉皮に生分解性プラスチックを使用した趣旨が損なわれることがない。
▲３▼実施例の場合のように有機肥料を混入した場合は、炭化物が土壌改良剤としても作用することも相まって、落下した玉皮は単に土に還元するだけでなく肥料分としても作用することとなり、公園などの公開緑地や、農地等が拡がる郊外で開催される多くの花火大会において有用である。
▲４▼有機性のゴミから得られる炭化物を打ち上げ花火に使用することによりリサイクルが図られ、一方、不特定多数の夥しい観客が集まるイベントである花火大会においてそれを広報することによって、リサイクルの重要性を身近な問題として国民に認識してもらう格好の啓蒙となる。
▲５▼生分解性プラスチックに混入する有機性のゴミから得られる炭化物は多孔質体であることから高い吸湿力を有するので、玉皮自体が玉皮内部の湿気を吸湿して、内部を乾燥状態に保つ作用が実現される。よって、火薬を詰めて打ち上げ花火に加工した状態でも経年変化がなく長期保存が可能となり、従来の紙製の玉皮では不可能であった年間を通しての打ち上げ花火の作り置きが可能となり、花火シーズンに合わせて生産を集中させる必要がなくなる。
【図面の簡単な説明】
【図１】この発明の花火の玉皮の分解斜視図。
【図２】この発明の花火の断面図。
【符号の説明】
１      玉皮片
２      玉皮
【図１】
0003617947.tif 000002
【図２】
0003617947.tif 000003